(57)【要約】【課題】吊下状態での持ち運びに適した板紙製の天面開口式マルチパックを提供する。【解決手段】上下２段に集積した缶を包み込む板紙製のマルチパックにおいて、前板２及び後板３からそれぞれ延出した天板４同士を天面中央部で貼り合わせ、その両側に把手穴８を形成し、前面板２からこれに繋がる内フラップ５の端縁にかけて、２本の切目線１０に挟まれた直線帯状の引裂帯１１を下段側の缶のやや上方で水平方向に設け、天板４に繋がる外フラップ６の後部に、内フラップ５との貼合部を切断する切目線１２を入れ、引裂帯１１を切除して、外フラップ６の切目線１２を切断し、天板４を後方へ開くと、前面及び端面上部から天面全体が開口するようにする。【選択図】図２
2006062686.tif 000002
【特許請求の範囲】
【請求項１】
上下２段に集積した缶を包み込むように底板、前板、後板及び天板を連設し、前板及び後板の端縁から延びる内フラップに、底板及び天板の端縁から延びる外フラップを貼り合わせて端面を閉止する板紙製のマルチパックにおいて、前板及び後板からそれぞれ天板を延出し、天面中央部で天板同士を貼り合わせ、その両側に把手穴を形成し、前面板からこれに繋がる内フラップの端縁にかけて、２本の切目線に挟まれた直線帯状の引裂帯を下段側の缶のやや上方で水平方向に設け、天板に繋がる外フラップの後部に、内フラップとの貼合部を切断する切目線を入れ、引裂帯を切除して、外フラップの切目線を切断し、天板を後方へ開くと、前面及び端面上部から天面全体が開口するようにしたことを特徴とする天面開口式マルチパック。
【発明の詳細な説明】
【技術分野】
【０００１】
この発明は、飲料等の缶を複数本纏めて包装するマルチパックに関するものである。
【背景技術】
【０００２】
従来、ビール等の飲料缶の包装に使用する段ボール製ラップランドケースとして、下記特許文献１には、図４に示すようなものが記載されている。このラップランドケースは、複数本の缶Ｃを纏めて包み込むように底板５０、前板５１、後板５２及び天板５３を連設し、前板５１及び後板５２の端縁から延びる内フラップ５４に、底板５０及び天板５３の端縁から延びる外フラップ５５を貼り合わせて端面を閉止することにより封緘される。
【０００３】
このラップラウンドケースでは、前板５１の中央付近に設けた指入穴５６から両端方向へＶ字状にジッパ形切目線５７が入れられ、その両側の内フラップ５４に切目線５７に連続して端縁へ至るミシン目状切目線５８が入れられ、また、上方の外フラップ５５の後部に内フラップ５４との貼合部を切断する切目線５９が入れられている。
【０００４】
これにより、指入穴５６に指を入れ、前板５１を手前に引っ張りつつ、前板５１の切目線５７を切断し、前板５１の上部を引き上げて、前板５１に繋がる両側の内フラップ５４の切目線５８を切断し、続いて、天板５３に繋がる上方の外フラップ５５の切目線５９を切断し、天板５３を後方へ開くと、前面及び端面上部から天面全体が開口して、ケース内から缶Ｃを取り出せるようになっている。
【０００５】
【特許文献１】実用新案登録第２６０１６７９号公報
【発明の開示】
【発明が解決しようとする課題】
【０００６】
しかしながら、多数本の飲料缶を上下２段に集積して吊下状態で持ち運べるようにするため、上記のようなラップラウンドケースの天面に把手穴を形成した場合、その把手穴に指を入れて持ち運ぶ際、収納した缶の荷重により、把手穴の周辺で天板が破れたり、前面板やこれに繋がる内フラップが切目線に沿って裂けたりする恐れがある。
【０００７】
そこで、この発明は、吊下状態での持ち運びに適した板紙製の天面開口式マルチパックを提供することを課題とする。
【課題を解決するための手段】
【０００８】
上記課題を解決するため、この発明は、上下２段に集積した缶を包み込むように底板、前板、後板及び天板を連設し、前板及び後板の端縁から延びる内フラップに、底板及び天板の端縁から延びる外フラップを貼り合わせて端面を閉止する板紙製のマルチパックにおいて、前板及び後板からそれぞれ天板を延出し、天面中央部で天板同士を貼り合わせ、その両側に把手穴を形成し、前面板からこれに繋がる内フラップの端縁にかけて、２本の切目線に挟まれた直線帯状の引裂帯を下段側の缶のやや上方で水平方向に設け、天板に繋がる外フラップの後部に、内フラップとの貼合部を切断する切目線を入れ、引裂帯を切除して、外フラップの切目線を切断し、天板を後方へ開くと、前面及び端面上部から天面全体が開口するようにしたのである。
【発明の効果】
【０００９】
このマルチパックでは、把手穴に指を入れて持ち運ぶ際、収納した缶の荷重が作用しても、把手穴の間で天板が重なり合っているので、把手穴の周辺から天板が破れにくく、また、前面板の切断手段が水平な直線帯状の引裂帯となっているので、前面板やこれに繋がる内フラップが切目線に沿って裂ける現象も防止される。そのほか、開封したとき、上段側の缶が飛び出すこともない。
【発明を実施するための最良の形態】
【００１０】
以下、この発明の実施形態を添付図面に基づいて説明する。
【００１１】
このマルチパックは、３０本の飲料缶を上下２段に集積して包装するものであり、図１に示す板紙製ブランクから形成される。このブランクでは、底板１に前板２と後板３とが連設され、前板２及び後板３に天板４がそれぞれ連設されている。前板２及び後板３の端縁には内フラップ５が、底板１及び天板４の端縁には外フラップ６がそれぞれ連設され、後板３に繋がる天板４の外縁には折込片７が連設されている。
【００１２】
各天板４には、外縁寄り中央部に把手穴８が形成され、この把手穴８から基端角へ向けて、吊下状態での持ち運び時に撓みを許容して把手穴８への指の挿入を容易にするため、斜め方向の罫線９が入れられている。
【００１３】
前板２からこれに繋がる内フラップ５の端縁にかけては、２本のジッパ形切目線１０に挟まれた直線帯状の引裂帯１１が水平方向に設けられている。この引裂帯１１は、包装状態で下段側の缶のやや上方に位置し、一方の内フラップ５の端部側を始端として引っ張ると、終端まで途切れることなく切断できるようになっている。また、後方の天板４に繋がる外フラップ６には、斜めに横切るミシン目状切目線１２が入れられている。
【００１４】
このようなブランクを組み立てて缶を包装するには、図２に示すように、缶を集積して載せた底板１から前板２及び後板３を起立させ、これらに繋がる天板４を、それぞれ後方及び前方へ折り曲げて天面中央部で貼り合わせると共に、各天板４に繋がる外フラップ６も貼り合わせ、折込片７を内側へ折り込んで、後方の天板４の内面に貼り付ける。
【００１５】
続いて、内フラップ５及び外フラップ６を順次内側へ折り曲げて貼り合わせ、端面を閉止して封緘する。このとき、後部上方のフラップ６は、切目線１２の外側の部分で内フラップ５に貼り付ける。
【００１６】
上記のように包装した状態では、把手穴８に指を入れて持ち運ぶ際、収納した缶Ｃの荷重が作用しても、把手穴８の間で天板４が重なり合い、さらに折込片７で補強されているので、把手穴８の周辺から天板４が破れにくく、また、前面板２の切断手段が水平な直線帯状の引裂帯１１となっているので、前面板２及びこれに繋がる内フラップ５が切目線１０に沿って裂ける現象も防止される。
【００１７】
一方、このマルチパックを開封する際には、引裂帯１０を一方の内フラップ５から前面板２を経て他方の内フラップ５まで引っ張って切除し、生じた隙間に指を入れ、図３に示すように、切目線１２を切断して、天板４を後方へ開く。
【００１８】
このように開封すると、前面及び端面上部から天面全体が開口するので、缶Ｃを容易に取り出すことができ、前面板２及びその両側に繋がる内フラップ５が下段側の缶Ｃのやや上方で切断されているので、上段側の缶Ｃが飛び出すこともない。
【図面の簡単な説明】
【００１９】
【図１】この発明の実施形態に係るマルチパックのブランクを示す図
【図２】同上の包装状態を示す斜視図
【図３】同上の開封状態を示す斜視図
【図４】従来のラップラウンドケースの開封状態を示す斜視図
【符号の説明】
【００２０】
１  底板
２  前板
３  後板
４  天板
５  内フラップ
６  外フラップ
７  折込片
８  把手穴
９  罫線
１０  切目線
１１  引裂帯
１２  切目線
【図１】
2006062686.tif 000003
【図２】
2006062686.tif 000004
【図３】
2006062686.tif 000005
【図４】
2006062686.tif 000006